(57)【要約】【課題】容易に、かつ、安価に各種の体験用回り階段を組み合わせて構成する。【解決手段】下側直階段部構成体１１Ａと回り段部構成体１２と上側直階段部構成体１１Ｂと階上床部構成体１３とを一連に組み付け可能に備え、下側直階段部構成体１１Ａと上側直階段部構成体１１Ｂのいずれか一方の直階段部構成体１１を基準直階段部構成体１１’とし、他方直階段部構成体１１と前記回り段部構成体１２を、前記階下床面１０ａ及び階上床面１０ｂとの間に割り付けられる段数から当該基準直階段部構成体１１’の備える段数を差し引いた段数の段部を割り振りして備える構成としてある。【選択図】図３
0003124251.tif 000002
【実用新案登録請求の範囲】
【請求項１】
回り階段の上がり下り体験に用いられる階段ユニットであって、
この階段ユニットが、下側直階段部構成体と、この下側直階段部構成体に連続して通路を構成する回り段部構成体と、この回り段部構成体に連続して通路を構成する上側直階段部構成体と、この上側直階段部構成体に連続して通路を構成する階上床部構成体とを、設置床面において相互に組み付け・分離し得るように備えており、
前記下側直階段部構成体と上側直階段部構成体のいずれか一方の直階段部構成体を、前記階段ユニットの階下床面と階上床面との間に割り付けられる段数のうちの一部の段数の段部を備える基準直階段部構成体としてあると共に、
他方直階段部構成体と前記回り段部構成体を、前記床面間に割り付けられる段数から当該基準直階段部構成体の備える段数を差し引いた段数の段部を割り振りして備える構成としてあることを特徴とする体験用回り階段ユニット。
【請求項２】
前記下側直階段部構成体と回り段部構成体と上側直階段部構成体及び階上床部構成体が移動手段を備えていることを特徴とする請求項１に記載の体験用回り階段ユニット。
【請求項３】
回り階段の上がり下り体験に用いられる階段ユニットであって、
この階段ユニットが、下側直階段部構成体と、この下側直階段部構成体に連続して通路を構成する回り段部構成体と、この回り段部構成体に連続して通路を構成する上側直階段部構成体と、この上側直階段部構成体に連続して通路を構成する階上床部構成体とを備える通路構成体と、
前記一連に連続される通路構成体における下側直階段部構成体と上側直階段部構成体間に該直階段部構成体に平行に備えられる中間壁状部と、前記回り段部構成体で折り返し状態に一連に連続される通路構成体の外周に沿って平面視でコ字状に備えられる外回り壁状部とを少なくとも有し、前記通路構成体を納め入れ得るように組み合わされる複数枠体よりなる壁状枠体とを備えており、
しかも、前記下側直階段部構成体と回り段部構成体と上側直階段部構成体と階上床部構成体及び壁状枠体の各構成枠体とが、設置床面において組み付け・分離可能としてあり、
かつ、前記下側直階段部構成体と上側直階段部構成体のいずれか一方の直階段部構成体を、前記階段ユニットの階下床面と階上床面との間に割り付けられる段数のうちの一部の段数の段部を備える基準直階段部構成体としてあると共に、
他方直階段部構成体と前記回り段部構成体を、前記床面間に割り付けられる段数から当該基準直階段部構成体の備える段数を差し引いた段数の段部を割り振りして備える構成としてあることを特徴とする体験用回り階段ユニット。
【請求項４】
前記下側直階段部構成体と回り段部構成体と上側直階段部構成体と階上床部構成体及び壁状枠体の各構成枠体が移動手段を備えていることを特徴とする請求項３に記載の体験用回り階段ユニット。
【請求項５】
前記壁状枠体が、一対の向き合った側部壁状部と、この側部壁状部の後端側間を連続させる後部壁状部と、この側部壁状部の一方の前端側から他方の側部壁状部に向けて該両側部壁状部の中間に到る前部壁状部とを備える外回り壁状部と、この外回り壁状部における前部壁状部の先端側から前記後部壁状部に向けて前記回り段部構成体に先端部を接するように設けられる中間壁状部とを備えており、
この壁状枠体が、前記中間壁状部と前部壁状部及び該前部壁状部に連続する側部壁状部の一部とからなる第一枠体と、この第一枠体を構成する側部壁状部の一部に連続する側部壁状部の残部と後部壁状部及び該後部壁状部に連続して前記側部壁状部に向き合う側部壁状部とからなる第二枠体とを組み付け、組み外し可能に備えていることを特徴とする請求項３又は請求項４に記載の体験用回り階段ユニット。
【考案の詳細な説明】
【技術分野】
【０００１】
この考案は、各種形態からなる回り階段を、容易に、かつ、低コストで、随時必要に応じて構成することができ、この構成される各形態の回り階段を比較体験することのできる体験用回り階段ユニットの提供に関する。
【背景技術】
【０００２】
多くの場合、住宅の設計をする際には、建てようとしている住宅の築造目的から、居住者の人数、居住者相互の関係、年齢等を総合的に勘案し、設置対象宅地の広さ、形状、立地条件等で漸次煮詰め、目的の住宅に、より近いイメージの住宅となるように設計が試みられる。
【０００３】
このような住宅の設計において下階と上階とを連絡する手段として組み込まれる階段は、多くの場合、その設置位置や設置の向き等について設計上種々の打ち合わせがなされるものの、各種階段の形態の差に伴う上がり下りの利便性、快適性、困難性等についての具体的な比較、検討がなされ難い傾向にある。
【０００４】
このような各種形態の異なる階段相互における上がり下り感覚は、個々人の感性によって異なることがあり、また、年齢、性別、健常者・非健常者等によって異なる結果を生ずることが多く、また、住宅の設計の専門家であっても、微妙に異なる各階段の上がり下りの差を明確に認識していない場合があり、あるいは、その各階段の形態の変化に伴う使い勝手について、これを明確に施主に伝いることが難しかった。
【０００５】
かかる点から、住宅の設計に際して、勾配を可変とする階段で、実際に勾配の異なる各階段を体験するための装置が提案されている（例えば、特許文献１）。
【０００６】
また、勾配の異なる複数の体験用階段を順次に側方に引き出して、それぞれの勾配の階段の上がり下りを体験するための設備が提案されている（例えば、特許文献２）。
【０００７】
さらに、勾配等を異にする複数の階段を並置し、この並べ置かれた各階段で各階段の上がり下りを体験するためのユニットが提案されている（特許文献３）。
【０００８】
さらに、均等割り階段と、吹き寄せ状廻り階段とを並置し、この廻り階段の上がり下りによって廻り部分の形状の違いによる昇降のし易さ、安全性等の違いを体験できるプラントが提案されている（例えば、特許得文献４）  
【特許文献１】特開２００１−３５０４０４号公報
【特許文献２】特開２００４−２６４５７号公報
【特許文献３】特開２０００−１７２１６９号公報
【特許文献４】特開２０００−１７２１６６号公報
【考案の開示】
【考案が解決しようとする課題】
【０００９】
多くの二階建て住宅等にあっては、一階と二階との間に備えられる階段は、建築スペースや使い勝手等から回り階段が比較的用いられる傾向にある。かかる回り階段は、いわゆる、まっすぐに上がり下りする直階段の一部をなすように構成されている下側と上側にある直階段部と、この直階段部間にあってほぼ１８０度上がり下りの向きを変更しうるように備えられている回り段部とを備える回り階段にあっては、この回り段部の構成によって、上がり下りの動作に種々の差が生ずるため、この回り段部における各特性を充分に認識した上で、住宅に居住する居住対象者に、もっとも都合のよい階段の組み込みをなすように設計する必要があった。
【００１０】
前記特許文献１に示される住宅階段の傾斜勾配体験装置及び特許文献２に示される階段勾配比較体験設備にあっては、いずれも、階段を住宅に組み付ける際に階段勾配を体験することを目的としており、回り階段に特有の回り段部における上がり下りの体験をなし得るものではなかった。
【００１１】
また、特許文献３に示される階段比較ユニットにあっても、構成の異なる複数の階段を連続して比較、体験し得るものの、回り階段における回り段部の有する形態の異なりに由来する特有の体験をなすことができなかった。
【００１２】
さらに、特許文献４に示される住宅の立体空間に関する体験学習プラントにあっては、均等割り状廻り階段と、吹き寄せ状廻り階段を連続して体験できるユニットが「００１５」の段落において提案されているものの、各種形態からなる回り階段を、随時、必要に応じて設置して、各種形態の回り階段を体験し得るものではなく、予めセットされた前記廻り階段以外の体験をなすことはできなかった。
【００１３】
しかしながら、住宅の形態、住宅に求められる居住空間の形態、当該住宅に居住する居住者の精神的、肉体的な要請等、種々の条件を満足する回り階段を、多岐多様の形態からなる回り階段から選び出して対象住宅に組み付け構成する必要があった。
【００１４】
この考案は、かかる回り階段における特異性に鑑み、各種形態の回り階段の回り段部を備える回り階段を容易に、かつ、安価に設置し、随時、随意に、これを用いて上がり下りの体験をなし得るようにして、回り階段の設計、設置に都合良く対応し得るようにした体験用回り階段ユニットの提案を目的としている。
【課題を解決するための手段】
【００１５】
前記課題を達成するために、第一の考案にあっては、回り階段の上がり下り体験に用いられる階段ユニットであって、
この階段ユニットが、下側直階段部構成体と、この下側直階段部構成体に連続して通路を構成する回り段部構成体と、この回り段部構成体に連続して通路を構成する上側直階段部構成体と、この上側直階段部構成体に連続して通路を構成する階上床部構成体とを、設置床面において相互に組み付け・分離し得るように備えており、
前記下側直階段部構成体と上側直階段部構成体のいずれか一方の直階段部構成体を、前記階段ユニットの階下床面と階上床面との間に割り付けられる段数のうちの一部の段数の段部を備える基準直階段部構成体としてあると共に、
他方直階段部構成体と前記回り段部構成体を、前記床面間に割り付けられる段数から当該基準直階段部構成体の備える段数を差し引いた段数の段部を割り振りして備える構成としてあることを特徴とする体験用回り階段ユニットとしてある。
【００１６】
なお、本明細書において回り階段とは、下側直階段部と上側直階段部との間に回り段板を有する回り段部又は踊り場を一連に備えて、下階と上階との上がり下りに用いられる階段であって、回り段部又は踊り場の前後で下側直階段部と上側直階段部とが折返し状態に備えられている階段を総称する概念である。
【００１７】
このように構成される体験用回り階段ユニットでは、回り階段において最も必要とされる回り動作部分における各種の回り体験をなし得る体験用回り階段を、最も少ない設置空間に、最も少ない構成点数のユニットをもって、随時、随意に構成することができ、狭い設置スペース内において、低コストで各種の体験用回り階段を設置、体験することができる。
【００１８】
また、かかる構成からなる体験用回り階段ユニットにあっては、構成される回り階段の種類に対して、用意されるユニットを必要最小限に留めることが可能とされ、ユニットの設備コストの低廉化に限らず、当該ユニットの搬出入コストや保管コストを必要最小限に留めることができる。
【００１９】
この結果、住宅の建築の依頼者や、この住宅依頼者の希望や居住者の実情等を勘案して設計する設計者等が、随時、随意に体験し得る回り階段を組み立てて、住宅の設計に容易に反映させることができる。
【００２０】
また、前記構成に係る体験用回り階段ユニットにあって、前記下側直階段部構成体と回り段部構成体と上側直階段部構成体及び階上床部構成体が移動手段を備えている構成の体験用回り階段ユニットでは、前記特長に併せて、当該ユニット構成体を容易に搬入、搬出でき、かつ、容易に、組み付け、組み外すことができる。
【００２１】
また、前記課題を達成するために、第二の考案にあっては、回り階段の上がり下り体験に用いられる階段ユニットであって、
この階段ユニットが、下側直階段部構成体と、この下側直階段部構成体に連続して通路を構成する回り段部構成体と、この回り段部構成体に連続して通路を構成する上側直階段部構成体と、この上側直階段部構成体に連続して通路を構成する階上床部構成体とを備える通路構成体と、
前記一連に連続される通路構成体における下側直階段部構成体と上側直階段部構成体間に該直階段部構成体に平行に備えられる中間壁状部と、前記回り段部構成体で折り返し状態に一連に連続される通路構成体の外周に沿って平面視でコ字状に備えられる外回り壁状部とを少なくとも有し、前記通路構成体を納め入れ得るように組み合わされる複数枠体よりなる壁状枠体とを備えており、
しかも、前記下側直階段部構成体と回り段部構成体と上側直階段部構成体と階上床部構成体及び壁状枠体の各構成枠体とが、設置床面において組み付け・分離可能としてあり、
かつ、前記下側直階段部構成体と上側直階段部構成体のいずれか一方の直階段部構成体を、前記階段ユニットの階下床面と階上床面との間に割り付けられる段数のうちの一部の段数の段部を備える基準直階段部構成体としてあると共に、
他方直階段部構成体と前記回り段部構成体を、前記床面間に割り付けられる段数から当該基準直階段部構成体の備える段数を差し引いた段数の段部を割り振りして備える構成としてあることを特徴とする体験用回り階段ユニットとしてある。
【００２２】
このように構成される体験用回り階段ユニットでは、壁を備える回り階段において最も必要とされる回り動作部分における各種の回り体験をなし得る体験用回り階段を、最も少ない設置空間に、最も少ない構成点数のユニットをもって、随時、随意に構成することができ、狭い設置スペース内において、低コストで当該体験用回り階段を設置、体験することができる。
【００２３】
また、かかる構成からなる体験用回り階段ユニットにあっては、壁を備えて構成される回り階段の種類に対して、用意されるユニットを必要最小限に留めることが可能とされ、ユニットの設備コストの低廉化に限らず、当該ユニットの搬出入コストや保管コストを必要最小限に留めることができる。
【００２４】
この結果、住宅の建築の依頼者や、この住宅依頼者の希望や居住者の実情等を勘案して設計する設計者等が、随時、随意に体験し得る回り階段を組み立てて、住宅の設計に容易に反映させることができる。
【００２５】
また、前記構成に係る体験用回り階段ユニットにあって、前記下側直階段部構成体と回り段部構成体と上側直階段部構成体と階上床部構成体及び壁状枠体が移動手段を備えている構成の体験用回り階段ユニットでは、前記特長に併せて、当該ユニット構成体を容易に搬入、搬出でき、かつ、容易に、組み付け、組み外すことができる。
【００２６】
また、前記構成に係る体験用回り階段ユニットにあって、前記壁状枠体が、一対の向き合った側部壁状部と、この側部壁状部の後端側間を連続させる後部壁状部と、この側部壁状部の一方の前端側から他方の側部壁状部に向けて該両側部壁状部の中間に到る前部壁状部とを備える外回り壁状部と、この外回り壁状部における前部壁状部の先端側から前記後部壁状部に向けて前記回り段部構成体に先端部を接するように設けられる中間壁状部とを備えており、
この壁状枠体が、前記中間壁状部と前部壁状部及び該前部壁状部に連続する側部壁状部の一部とからなる第一枠体と、この第一枠体を構成する側部壁状部の一部に連続する側部壁状部の残部と後部壁状部及び該後部壁状部に連続して前記側部壁状部に向き合う側部壁状部とからなる第二枠体とを組み付け、組み外し可能に備えている体験用回り階段ユニットでは、前記特長に併せて、壁状枠体を備える各種の回り階段を、容易に組み付け構成し、かつ、組み外し収納することができる。
【考案の効果】
【００２７】
この考案にかかる体験用回り階段ユニットは、各種形態の回り階段を、必要最小限のユニット構成体の組み付け、分離によって、随時、随意に構成することができる利点を備えており、低コストで、かつ、必要最小限の設置スペースで設置用い得る利点と共に少ない収納スペース内に効果的に収納し得る利点を有している。
【考案を実施するための最良の形態】
【００２８】
以下、図１〜図２５に基づいて、この考案を実施するための最良の形態に係る体験用回り階段ユニットＡについて説明する。
【００２９】
なお、ここで図１〜図２１は当該考案を実施するための最良の形態に係る典型的な体験用回り階段ユニットＡを、図２２及び図２３は当該考案を実施するための最良の形態に係る他の典型的な体験用回り階段ユニットＡを、さらに 図２４及び図２５は当該考案を実施するための最良の形態に係る更に他の典型的な体験用回り階段ユニットＡを示している。
【００３０】
なお、ここで図１〜図１１は、この図１〜図２１に示される典型的な体験用回り階段ユニットＡの一例を具体的に示したものであって、図１では、各ユニット構成体を分離して斜め上方から見た状態を、図２では、その組み付け状態の一過程を斜め上方から見て、図３では、組み付けた状態を斜め上方から見て示してある。図４は、この回り階段ユニットＡを構成する下側直階段部構成体１１Ａを、図５は、回り段部構成体１２を、図６は上側直階段部構成体１１Ｂを、図７は階上床部構成体１３及び各補助階上床部構成体１３Ａ、１３Ｂを、図８は、壁状枠体２０の一部を構成する第一枠体２０Ａを、図９は、当該第一枠体２０Ａと共に壁状枠体２０を構成する第二枠体２０Ｂを、それぞれ前方側の斜め上方から見て示している。また、図１０は当該回り階段ユニットＡの連結手段３０による連結状態の要部を拡大して斜め上方から見て、更に、図１１は当該回り階段ユニットＡの移動手段４０及び固定手段５０を要部を断面して側方から見て示している。
【００３１】
図１２〜図２１は、前記の典型的な回り階段ユニットＡにおける各実施例をそれぞれ上方から見て示している。
【００３２】
図２２及び図２３は、壁状枠体２０を階段一段相当の踏み面幅分小さく構成した他の典型的な回り階段ユニットＡの典型的な実施例を上方から見てしめしている。
【００３３】
図２４及び図２５は、上側直階段部構成体１１Ｂを基準直階段部構成体１１’とした更に他の典型的な回り階段ユニットＡの典型的な実施例を上方から見て示している。
【００３４】
まず、当該考案の最良の形態に係る体験用回り階段ユニットＡについて説明する。
【００３５】
この最良の形態に係る体験用回り階段ユニットＡは、下側直階段部構成体１１Ａと、この下側直階段部構成体１１Ａに連続して通路を構成する回り段部構成体１２と、この回り段部構成体１２に連続して通路を構成する上側直階段部構成体１１Ｂと、この上側直階段部構成体１１Ｂに連続して通路を構成する階上床部構成体１３とを、設置床面Ｂにおいて相互に組み付け・分離し得るように備えており、
前記下側直階段部構成体１１Ａと上側直階段部構成体１１Ｂのいずれか一方の直階段部構成体１１を、前記階段ユニットＡの階下床面１０ａと階上床面１０ｂとの間に割り付けられる段数のうちの一部の段数の段部を備える基準直階段部構成体１１’としてあると共に、
他方直階段部構成体１１と前記回り段部構成体１２を、前記階下床面１０ａ及び階上床面１０ｂとの間に割り付けられる段数から当該基準直階段部構成体１１’の備える段数を差し引いた段数の段部を割り振りして備える構成としてある。
【００３６】
かかる階段ユニットＡを構成する下側直階段部構成体１１Ａは、階下床面１０ａと壁状枠体２０における後部壁状部２１ｃに沿って備えられる回り段部構成体１２との間を直進状態で上がり下りするのに用いられ、いわゆる直階段の一部分の形態を備えた構成としてある。また、前記回り段部構成体１２は、この下側直階段部構成体１１Ａと上側直階段部構成体１１Ｂとの間にあって、前記後部壁状部２１ｃに沿って備えられる構成としてあり、階段を上がり下りする際に身体の向きをほぼ１８０度変え得る回り段板を備える回り段部又は踊り場を備える構成としてある。また、上側直階段部構成体１１Ｂは、回り段部構成体１２と階上床部構成体１３との間を直進状態で上がり下りするのに用いられ、いわゆる直階段の一部分の形態を備えた構成としてある。また、階上床部構成体１３は当該回り階段ユニットＡが所定の階高で構成され得るように、階下床面１０ａから当該各直階段部構成体１１と回り段部構成体１２とによって上がり下りされる階上の床面１３ａを、前記階下床面１０ａに対して一定高さの階上床面１０ｂとして備える構成としてある。
【００３７】
ここで構成される回り階段ユニットＡは、構成される階段の幅員、蹴上げ、踏み面及び勾配を、体験目的に対応するものとして適宜用意され、回り段部の形態の変化に伴う当該回り階段の上がり下り体験に都合よく用い得る構成を備えたものであれば、いかなる直階段部構成体１１、回り段部構成体１２及び階上床部構成体１３であってもよい。
【００３８】
また、基準直階段部構成体１１’は、階下床面１０ａに連続する下側直階段部構成体１１Ａによって構成してあっても、また、階上床部構成体１３に連続される上側直階段部構成体１１Ｂによって構成してあってもよい。
【００３９】
また、回り階段ユニットＡにおける階下床面１０ａは、前記下側直階段部構成体１１Ａによって構成してあっても、また、前記設置床面Ｂによって 構成してあってもよい。また、前記回り階段ユニットＡにおける階上床面１０ｂは、前記階上床部構成体１３によって構成してあっても、上側直階段部構成体１１Ｂによって構成してあってもよい。
【００４０】
また、階上床部構成体１３における階高や、階下床面１０ａと階上床面１０ｂとの間に割り付けられる当該回り階段ユニットＡの段数等は、当該回り階段ユニットＡを用いた階段の上がり下り体験に都合の良い階高、段数であれば、必ずしも、実生活に供されている住宅における階高、割付段数である必要はない。
【００４１】
また、基準直階段部構成体１１’の備える階段の段数は、他方直階段部構成体１１及び回り段部構成体１２と当該基準直階段部構成体１１’とで、前記階下床面１０ａと階上床面１０ｂとの間に予定される体験対象勾配の階段を都合良く設け得るものであれば、いかなる段数であってもよい
【００４２】
また、回り段部構成体１２の段数や、形態は、回り階段の体験目的に添う段数、形態を主として備えるものであれば、例えば、体験目的に対応する段数の段板を備える回り段部又は踊り場で構成してあっても、また、例えば、２段〜５段の各段数の回り段部を必要形態毎に揃えるようにしてあっても、また、例えば、３段〜４段の各段数の回り段部を必要形態毎に揃える等、いかなる組み合わせ態様に揃えるようにしてあってもよい。
【００４３】
このように構成される体験用回り階段ユニットＡでは、回り階段において最も必要とされる回り動作部分における各種の回り体験をなし得る体験用回り階段を、最も少ない設置空間に、最も少ない構成点数のユニットをもって、随時、随意に構成することができ、狭い設置スペース内において、低コストで当該体験用回り階段を設置、体験することができる。
【００４４】
また、かかる構成からなる体験用回り階段ユニットＡにあっては、構成される回り階段の種類に対して、用意されるユニットを必要最小限に留めることが可能とされ、ユニットの設備コストの低廉化に限らず、当該ユニットの搬出入コストや保管コストを必要最小限に留めることができる。
【００４５】
この結果、住宅の建築の依頼者や、この建築依頼者の希望、居住者の実情等を勘案して設計する設計者等が、随時、随意に体験し得る回り階段を組み立てて、住宅の設計に容易に反映させることができる。
【００４６】
また、前記構成に係る体験用回り階段ユニットＡにあって、前記下側直階段部構成体１１Ａと回り段部構成体１２と上側直階段部構成体１１Ｂ及び階上床部構成体１３が移動手段４０を備えている構成の体験用回り階段ユニットＡでは、前記特長に併せて、当該ユニット構成体を容易に搬入、搬出でき、かつ、容易に、組み付け、分離することができる。
【００４７】
かかる体験用回り階段ユニットＡの構成において、前記下側直階段部構成体１１Ａ、回り段部構成体１２、上側直階段部構成体１１Ｂ及び階上床部構成体１３を壁状枠体２０内に納め入れるように構成して体験用階段ユニットＡを構成してあってもよい。
【００４８】
かかる体験用階段ユニットＡは、下側直階段部構成体１１Ａと、この下側直階段部構成体１１Ａに連続して通路を構成する回り段部構成体１２と、この回り段部構成体１２に連続して通路を構成する上側直階段部構成体１１Ｂと、この上側直階段部構成体１１Ｂに連続して通路を構成する階上床部構成体１３とを備える通路構成体１０と、
前記一連に連続される通路構成体１０における下側直階段部構成体１１Ａと上側直階段部構成体１１Ｂ間に該直階段部構成体１１に平行に備えられる中間壁状部２２と、前記回り段部構成体１２で折り返し状態に一連に連続される通路構成体１０の外周に沿って平面視でコ字状に備えられる外回り壁状部２１とを少なくとも有し、前記通路構成体１０を納め入れ得るように組み合わされる複数枠体よりなる壁状枠体２０とを備えており、
しかも、前記下側直階段部構成体１１Ａと回り段部構成体１２と上側直階段部構成体１１Ｂと階上床部構成体１３及び壁状枠体２０の各構成枠体とが、設置床面Ｂにおいて組み付け・分離可能としてあり、
かつ、前記下側直階段部構成体１１Ａと上側直階段部構成体１１Ｂのいずれか一方の直階段部構成体１１を、前記階段ユニットＡの階下床面１０ａと該階上床面１０ｂとの間に割り付けられる段数のうちの一部の段数の段部を備える基準直階段部構成体１１’としてあると共に、
他方直階段部構成体１１と前記回り段部構成体１２を、前記階下床面１０ａと階上床面１０ｂとの間に割り付けられる段数から当該基準直階段部構成体１１’の備える段数を差し引いた段数の段部を割り振りして備える構成としてある。
【００４９】
かかる壁状枠体２０は、前記通路構成体１０の下側直階段部構成体１１Ａと上側直階段部構成体１１Ｂ間に該直階段部構成体１１に平行に備えられる中間壁状部２２及び前記通路構成体１０の外周に沿って備えられる平面視でコ字状をなす外回り壁状部２１とを少なくとも備えて、前記通路構成体１０を納め入れ得るように組み合わされる複数枠体で構成してあれば、いかなる形態に構成してあってもよく、かかる中間壁状部２２と外回り壁状部２１とを少なくとも備えて構成してあれば、前記通路構成体１０の全部を巡るように構成してあってもよく、例えば、下側直階段部構成体１１Ａの納め入れられる外回り壁状部２１に当該壁状枠体２０に出入りし得る入り口を別段に備えるように構成してあってもよい。
【００５０】
このように構成される体験用回り階段ユニットＡでは、壁を備える回り階段において最も必要とされる回り動作部分における各種の回り体験をなし得る体験用回り階段を、最も少ない設置空間に、最も少ない点数の構成体からなるユニットをもって、随時、随意に構成することができ、狭い設置スペース内において、低コストで当該体験用回り階段を設置、体験することができる。
【００５１】
また、かかる構成からなる体験用回り階段ユニットＡにあっては、壁を備えて構成される回り階段の種類に対して、用意されるユニットを必要最小限に留めることが可能とされ、ユニットの設備コストの低廉化に限らず、当該ユニットの搬出入コストや保管コストを必要最小限に留めることができる。
【００５２】
この結果、住宅の建築の依頼者や、この建築依頼者の希望、居住者の実情等を勘案して設計する設計者等が、随時、随意に体験し得る回り階段を組み立てて、住宅の設計に容易に反映させることができる。
【００５３】
また、前記構成に係る体験用回り階段ユニットＡにあって、前記下側直階段部構成体１１Ａと回り段部構成体１２と上側直階段部構成体１１Ｂと階上床部構成体１３及び壁状枠体２０が移動手段４０を備えている構成の体験用回り階段ユニットＡでは、前記特長に併せて、当該ユニット構成体を容易に搬入、搬出でき、かつ、容易に、組み付け、組み外すことができる。
【００５４】
また、前記構成に係る体験用回り階段ユニットＡにあって、前記壁状枠体２０が、一対の向き合った側部壁状部２１ａ、２１ｂと、この側部壁状部２１ａ、２１ｂの後端側間を連続させる後部壁状部２１ｃと、この側部壁状部２１ａ、２１ｂの一方の前端側から他方の側部壁状部に向けて該両側部壁状部２１ａ、２１ｂの中間に到る前部壁状部２１ｄとを備える外回り壁状部２１と、この外回り壁状部２１における前部壁状部２１ｄの先端側から前記後部壁状部２１ｃに向けて前記回り段部構成体１２に後端部２２ａを接するように設けられる中間壁状部２２とを備えており、
この壁状枠体２０が、前記中間壁状部２２と前部壁状部２１ｄ及び該前部壁状部２１ｄに連続する側部壁状部２１ａの一部２１ａ’とからなる第一枠体２０Ａと、この第一枠体２０Ａを構成する側部壁状部２１ａの一部２１ａ’に連続する側部壁状部２１ａの残部２１ａ”と後部壁状部２１ｃ及び該後部壁状部２１ｃに連続して前記側部壁状部２１ａに向き合う側部壁状部２１ｂとからなる第二枠体２０Ｂとを組み付け、分離可能に備えている体験用回り階段ユニットＡでは、前記特長に併せて、壁状枠体２０を備える各種の回り階段を、容易に組み付け構成し、かつ、分離して収納することができる。
【００５５】
かかる回り階段ユニットＡを、図示例に係る回り階段ユニットＡについて具体的に説明する。
【００５６】
この図示例の回り階段ユニットＡは、下側直階段部構成体１１Ａと、この下側直階段部構成体１１Ａに連続して通路を構成する回り段部構成体１２と、この回り段部構成体１２に連続して通路を構成する上側直階段部構成体１１Ｂと、この上側直階段部構成体１１Ｂに連続して通路を構成する階上床部構成体１３とを備える通路構成体１０と、前記一連に連続される通路構成体１０における下側直階段部構成体１１Ａと上側直階段部構成体１１Ｂ間に該直階段部構成体１１に平行に備えられる中間壁状部２２と、前記回り段部構成体１２で折り返し状態に一連に連続される通路構成体１０の外周に沿って平面視でコ字状に備えられる外回り壁状部２１とを少なくとも有し、前記通路構成体１０を納め入れ得るように組み合わされる複数枠体よりなる壁状枠体２０とを備えており、しかも、前記下側直階段部構成体１１Ａと回り段部構成体１２と上側直階段部構成体１１Ｂと階上床部構成体１３及び壁状枠体２０の各構成枠体とが、設置床面Ｂにおいて組み付け・分離可能としてあある。また、前記下側直階段部構成体１１Ａと上側直階段部構成体１１Ｂのいずれか一方の直階段部構成体１１を、前記階段ユニットＡの階下床面１０ａと該階上床面１０ｂとの間に割り付けられる段数のうちの一部の段数の段部を備える基準直階段部構成体１１’としてあると共に、他方直階段部構成体１１と前記回り段部構成体１２を、前記階下床面１０ａと階上床面１０ｂとの間に割り付けられる段数から当該基準直階段部構成体１１’の備える段数を差し引いた段数の段部を割り振りして備える構成としてある。
【００５７】
かかる回り階段ユニットＡを構成する壁状枠体２０は、一対の向き合った側部壁状部２１ａ、２１ｂと、この側部壁状部２１ａ、２１ｂの後端側間を連続させる後部壁状部２１ｃと、この側部壁状部２１ａ、２１ｂの一方の側部壁状部２１ａの前端側から他方の側部壁状部２１ｂに向けて該両側部壁状部２１ａ、２１ｂの中間に到る前部壁状部２１ｄとを備える外回り壁状部２１と、この外回り壁状部２１における前部壁状部２１ｄの先端側から前記後部壁状部２１ｃに向けて前記回り段部構成体１２に後端部２２ａを接するように設けられる中間壁状部２２とを備えた構成としてあり、この図示例にあっては、かかる壁状枠体２０を、前記各通路構成体１０を納め入れ、あるいは、当該組み付けられた各通路構成体１０を分離し易いように、前記中間壁状部２２と前部壁状部２１ｄ及び該前部壁状部２１ｄに連続する側部壁状部２１ａの一部２１ａ’とからなる第一枠体２０Ａと、この第一枠体２０Ａを構成する側部壁状部２１ａの一部２１ａ’に連続する側部壁状部２１ａの残部２１ａ”と後部壁状部２１ｃ及び該後部壁状部２１ｃに連続して前記側部壁状部２１ａに向き合う側部壁状部２１ｂとからなる第二枠体２０Ｂとして構成してある。
【００５８】
かかる壁状枠体２０は、例えば、その第二枠体２０Ｂに対して、後部側面を後部壁状部２１ｃ面に密に沿わせ、かつ、当該後部壁状部２１ｃに連続する各側部壁状部２１ａ、２１ｂに側部側の面を密に接するように前記回り段部構成体１２を組み入れ、また、前記第一枠体２０Ａに対して、前記階上床部構成体１３を前部壁状部２１ｄ側にして当該階上床部構成体１３と上側直階段部構成体１１Ｂとを納め入れ状態に組み付けると共に、当該第一枠体２０Ａと第二枠体２０Ｂとを組み付け、この第一枠体２０Ａにおける中間壁状部２２と第二枠体２０Ｂにおける側部壁状部２１ｂとの間に前記下側直階段部構成体１１Ａを前記回り段部構成体１２に連続するように納め入れ状態で組み付けて体験用の回り階段を構成することができる。
【００５９】
かかる壁状枠体２０は、例えば、通例住宅に備えられる回り階段を構成する壁、階段手摺壁及び階上の手摺壁等に相当する壁を当該回り階段ユニットＡにもたらし得る形態に構成してあり、この図示例にあっては、設置床面Ｂに設置される階段ユニットＡが組み付け構成する階上床面１０ｂに手摺壁に相当する起立部を備えるように所定厚さの板状材を起立状態に連続させることで、前記第一枠体２０Ａと第二枠体２０Ｂとを構成してあり、当該第一枠体２０Ａ及び第二枠体２０Ｂの各下部側に移動手段４０としてのキャスター４０’と、当該壁状枠体２０を移動・設置位置に位置決め維持する固定手段５０としての、例えば、固定脚５０’と、当該第一枠体２０Ａと第二枠体２０Ｂとを相互に結合する連結手段３０及び当該壁状枠体２０と前記各通路構成体１０とを相互に結合する連結手段３０とを備える構成としてある。
【００６０】
かかる壁状枠体２０に組み付けられる下側直階段部構成体１１Ａと回り段部構成体１２及び上側直階段部構成体１１Ｂとで、当該階段ユニットＡの階下床面１０ａと階上床面１０ｂとの間に割り付けられる段数の段部を備える構成としてあり、下側直階段部構成体１１Ａと上側直階段部構成体１１Ｂのいずれか一方を一定の段数の段部を備える基準直階段部構成体１１’とし、他方の直階段部構成体１１と回り段部構成体１２とで、前記割付段数から当該基準直階段部構成体１１’の備える段部の段数を減じた段数の段部を割り振りして備える構成としてある。なお、ここで下側直階段部構成体１１Ａ、回り段部構成体１２及び上側直階段部構成体１１Ｂに備えられる段部は、いずれも均一の蹴上げ寸法としてあり、各直階段部構成体１１における踏み面幅は均一に構成してある。
【００６１】
図１〜図２１に示される回り階段ユニットＡは、階段ユニットＡの階下床面１０ａと階上床面１０ｂ（この階上床面１０ｂは階上床部構成体１３のなす床面１３ａであって、この図示例にあっては、上側直階段部構成体１１Ｂの最上段面を階上床部構成体１３の床面１３ａと同面に構成してある。）との間に割り付けられる段数を１０段上がりきりの回り階段ユニットＡとしてあり、そのうちの３段分の段数の段部１１Ａａを備える下側直階段部構成体１１Ａを基準直階段部構成体１１’とし、当該３段分の段数を減じた７段分の段数を上側直階段部構成体１１Ｂと回り段部構成体１２とで割り振りして備える構成としてある。
【００６２】
かかる回り段部構成体１２は、体験目的に適応する段数、踏み面形状を備えた構成としてあり、上側直階段部構成体１１Ｂは、前記割付段数から前記基準直階段部構成体１１’の備える段部１１Ａａの段数を減じ、かつ、各種の回り段部構成体１２における段部１２ａの段数を減じたそれぞれの段数の段部１１Ｂａを備える構成としてある。この図示例にあっては、回り段部構成体１２を２段から５段の段数の段部１２ａを備える構成としてあり、この回り段部構成体１２の備える段部１２ａの段数が２段の場合には、５段の段数の段部１１Ｂａを備える上側直階段部構成体１１Ｂを、回り段部構成体１２の備える段部１２ａの段数が３段の場合には、４段の段数の段部１１Ｂａを備える上側直階段部構成体１１Ｂを、回り段部構成体１２の備える段部１２ａの段数が４段の場合には、３段の段数の段部１１Ｂａを備える上側直階段部構成体１１Ｂを、更に、回り段部構成体１２の備える段部１２ａの段数が５段の場合には、２段の段数の段部１１Ｂａを備える上側直階段部構成体１１Ｂを組み付け用いることで１０段上がりきりの回り階段ユニットＡを構成することができる。
【００６３】
この図示例にあっては、２段〜５段の段数を備える上側直階段部構成体１１Ｂを前記壁状枠体２０に納め入れ状態に組み付けて回り階段ユニットＡを構成するようにしてあることから、第一枠体２０Ａにおける前部壁状部２１ｄとの間に最大３段分の段部に相当する空隙を生ずることとなり、１段分の踏み面幅に相当する床面１３Ａａを備える補助階上床部構成体１３Ａと、２段分の踏み面幅に相当する床面１３Ｂａを備える補助階上床部構成体１３Ｂとを別段に用意し、これらを適宜発生する空隙幅に合わせて前記前部壁状部２１ｄと階上床部構成体１３との間に組み入れ、各ユニット構成体相互が、がたなく、密に組み付けあうようにしてある。
【００６４】
なお、前記下側直階段部構成体１１Ａは、設置床面Ｂに備えられる当該階段ユニットＡにおける階下床部１３Ａｃを当該下側直階段部構成体１１Ａに連続して備える構成とすることによって、この階下床部１３Ａｃが構成する階下床面１０ａと前記階上床部構成体１３における床面１３ａのなす階上床面１０ｂとの間で、回り階段を快適に体験し得るようにしてあり、具体的には、前記中間壁状部２２と側部壁状部２１ｂとの間に階下床部１１Ａａを一体に備える下側直階段部構成体１１Ａを納め入れ状態に組み入れて体験用回り階段を構成するようにしてある。
【００６５】
なお、前記下側直階段部構成体１１Ａ、２〜５段の各段数の回り段部構成体１２、５〜２段の各段数の上側直階段部構成体１１Ｂ、階上床部構成体１３及び各補助階上床部構成体１３Ａ、１３Ｂには、いずれも移動手段４０及び連結手段３０が設けてあり、これらを自在に移動組み付け得るようにしてあると共に、随時、随意に、これらと前記壁状枠体２０とを組み付け・分離自在としてある。
【００６６】
より具体的には、前記３段の段部１１Ａａを備えて構成される下側直階段部構成体１１Ａ、２〜５段の各段数の回り段部構成体１２、５〜２段の各段数の上側直階段部構成体１１Ｂ、階上床部構成体１３、補助階上床部構成体１３Ａ、１３Ｂ、第一枠体２０Ａ及び第二枠体２０Ｂのユニット構成体には、いずれも移動手段４０としてキャスター４０’と当該移動により設置位置に案内された当該ユニット構成体を所定位置に組み付け状態に維持する固定脚５０’と、さらに、これらのユニット構成体を相互に組み付ける連結手段３０とを設けてあり、この移動手段４０を用いた移動と、移動位置に当該ユニット構成体を固定脚５０’を用いた位置づけと、これらのユニット構成体相互の緩みない連結とをなすようにしてある。
【００６７】
かかる固定脚５０’は、例えば、図１１に示されるように前記下側直階段部構成体１１Ａ、各回り段部構成体１２、各上側直階段部構成体１１Ｂ、階上床部構成体１３、補助階上床部構成体１３Ａ、１３Ｂ、第一枠体２０Ａ及び第二枠体２０Ｂの下端部の各所定位置毎に備えられる下面開口の筒状本体５２と、この筒状本体５２内に備えられている雌ねじ５２ａに螺進退自在にねじ入れられる雄ねじ５１ｂを備える昇降脚軸５１とで構成してあり、必要に応じて当該昇降脚軸５１の脚座５１ａを設置床面Ｂに押しつけるように昇降脚軸５１を下方に向けて螺回することによって前記ユニット構成体を設置床面Ｂに固定状態とし、また、この脚座５１ａを設置床面Ｂから離すように昇降脚軸５１を螺回して上方に移動することによって当該ユニット構成体をキャスター４０’による接地状態に変更して随意に移動可能にしてある。
【００６８】
また、前記連結手段３０は、例えば、図１０に示されるようにレバー３１ａの回動操作によって引きつけ方向に強制移動されるフック３１ｂを備える引き付け連結具３１と、当該フック３１ａが引っ掛けられて引き付け連結具３１に引き寄せ、または、分離される引っ掛け片３２とで構成する。かかる連結手段３０では、この引き付け連結具３１を連結対象の一方側に、引っ掛け片３２を連結対象の他方側に備え付けて、相互に引っ掛け状態に引き付けることで、階段ユニットＡを連結状態とし、また、この引っ掛け引き付けを開放することによって当該連結対象相互を分離状態にすることができる。
【００６９】
図１〜図１１に示される階段ユニットＡは、かかる図１２〜図２１に示される階段ユニットＡの典型例であって、３段の段数の段部１２ａを備える回り段部構成体１２と、３段の段部１１Ａａと階下床部１１Ａｃとを備えて後端側を回り段部構成体１２に接し、かつ、当該階下床部１１Ａｃを中間壁状部２２と側部壁状部２１ｂとの間にほぼ密に納め入れられて、この側部壁状部２１ｂと中間壁状部２２との間から当該壁状枠体２０間に構成される段部に出入りし得るように構成した基準直階段部構成体１１’としての下側直階段部構成体１１Ａと、４段の段数の段部１１Ｂａを備える上側直階段部構成体１１Ｂと、階上床部構成体１３及び一段分の踏み面幅の床面１３Ａａを備える補助階上床部構成体１３Ａとを第一枠体２０Ａと第二枠体２０Ｂ間に密に納め入れ得るように備えた構成としてあり、この回り段部構成体１２における各段板の形状を、例えば、別段に用意されている図１３〜図１５のうちの任意の一つと交換しながら、当該回り階段の上がり下り体験をなし得るようにしてある。
【００７０】
この階段ユニットＡを構成する下側直階段部構成体１１Ａは、平面視で矩形をなす構成としてあり、段部１１Ａａの階下に板状の階下床部１１Ａｃを備えると共に、この階下床部１１Ａｃに連続する段部１１Ａａを上部側に備えるボックス状部１１Ａｂを備えた構成としてある。また、回り段部構成体１２は、前記下側直階段部構成体１１Ａと上側直階段部構成体１１Ｂとを中間壁状部２２と共に長手側の一方側面で受け得る平面視で矩形の構成としてあり、前記下側直階段部構成体１１Ａの段部１１Ａａに連続し、しかも、上側直階段部構成体１１Ｂの段部１１Ｂａに連続される段部１２ａを上部側に備えるボックス状部１２ｂを備えた構成としてある。また、上側直階段部構成体１１Ｂは、平面視で矩形をなす構成としてあり、この回り段部構成体１２における段部１２ａに連続し、かつ、階上床部構成体１３に連続される段部１１Ａａを上部側に備えるボックス状部１１Ｂｂを備えて構成してある。なお、この図示例にあっては、上側直階段部構成体１１Ｂにおける最上段面を階上床面１０ｂと同面をなすように構成し、階上床部構成体１３の床面１３ａと共に階上床面１０ａを構成するようにしてある。更に、前記階上床部構成体１３は、平面視で矩形をなす構成としてあり、前記上側直階段部構成体１１Ｂの段部１１Ｂａから上がり込み得る床面１３ａを上面に備えるボックス状部１３ｂを備えて構成してある。また、この階上床部構成体１３と共に階上床部を構成する補助階上床部構成体１３Ａ、１３Ｂは平面視で矩形をなす構成としてあり、前記床面１３ａに同面をなす床面１３Ａａ、１３Ｂａを上面に備えるボックス状部１３Ａｂ、１３Ｂｂを備えて構成してある。
【００７１】
この図１〜図１１に示される階段ユニットＡにあっては、前記各直階段部構成体１１、回り段部構成体１２、階上床部構成体１３及び補助階上床部構成体１３Ａを、それぞれ平面視で矩形をなすボックス状に構成し、その上部側にそれぞれ段部、床部等を備える構成としてあって、連続されて通路を構成する側の面相互を密に接した状態で、相互に連結し、また、前記各第一枠体２０Ａ及び第二枠体２０Ｂに納め入れた際に当該壁状枠体２０における内側面に当該ボックス状部の側面を密に接するように相互に連結させることで、階下の側に階下床面１０ａを構成する階下床部１１Ａｃを両側に壁状枠体２０を備えた状態で、また、階上に階上床部構成体１３の床面１３ａで構成される階上床面１０ｂを手すり壁状の壁状枠体２０で囲まれた状態に備えた体験用階段を構成することができる。
【００７２】
また、前記回り段部構成体１２を他の段板形状を備える回り段部構成体１２に、随時、随意に取り替えて回り階段の上がり下り体験に供することができると共に、前記回り段部構成体１２を２段から５段のうちの任意の段数の段部１２ａを備える構成の回り段部構成体１２を随時、随意に選択用い、これに対応した段数の段部１１Ｂａを備える上側直階段部構成体１１Ｂと共に壁状枠体２０に組み付けて、体験用回り階段として用いることができる。
【００７３】
また、かかる各段数の異なる回り段部構成体１２と当該回り段部構成体１２と所定段数を振り分けて備える上側直階段部構成体１１Ｂとが構成する階段ユニットＡにあって、さらに、この回り段部構成体１２を、段板形状を異にする複数種の回り段部構成体１２によって、段数を異にする回り段部構成体１２毎にそれぞれ用意し、この用意された回り段部構成体１２を当該階段ユニットＡに随時組み付けて。各種形態の回り階段の体験に供することができる。
【００７４】
なお、前記回り段部構成体１２には、その上がり下り時における身体の向きの回転中心側に前記壁状枠体２０、より具体的には第一枠体２０Ａを構成する中間壁状部２２の後端部２２ａが入れ込まれる縦溝１２ｃが設けてあり、階段ユニットＡが、より確実に、がたなく組み付け得るようにしてある。
【００７５】
また、図８に示される第一枠体２０Ａと図９に示される第二枠体２０Ｂとは、この図示例にあっては相互に直接連結し得る構成としてあるが、この各枠体間に適宜の空間を配するように、この第一枠体２０Ａと第二枠体２０Ｂとを直階段部構成体１１等に連結して階段ユニットＡを構成するようにしてあってもよい。
【００７６】
ついで、図１２に示される階段ユニットＡは、下側直階段部構成体１１Ａを段数が３段の段部１１Ａａを備える基準直階段部構成体１１’としてあると共に、回り段部構成体１２を段数が２段の段部１２ａを備える構成としてあり、上側直階段部構成体１１Ｂを段数が５段の段部１１Ｂａを備える構成としてあって、階上床部構成体１３が壁状枠体２０における前部壁状部２１ｄに直接密着して組み付けられて階段ユニットＡを構成するようにしてある。
【００７７】
また、図１３〜図１５に示される階段ユニットＡは、下側直階段部構成体１１Ａを段数が３段の段部１１Ａａを備える基準直階段部構成体１１’としてあると共に、回り段部構成体１２を段数が３段の段部１２ａを備える構成とし、上側直階段部構成体１１Ｂを段数が４段の段部１１Ｂａを備える構成としてあり、階上床部構成体１３と壁状枠体２０の前部壁状部２１ｄとの間に床幅を階段の一段分の踏み面幅とする床面１３Ａａを備える補助階上床部構成体１３Ａを挟み入れて階段ユニットＡを構成してあり、さらに、回り段部構成体１２を段板の形状の異なる３態様の構成の回り段部構成体１２として用意してあり、これらを体験目的に対応して組み付け用い得るようにしてある。
【００７８】
さらに、図１６〜図２０に示される階段ユニットＡは、下側直階段部構成体１１Ａを段数が３段の段部１１Ａａを備える基準直階段部構成体１１’としてあると共に、回り段部構成体１２を段数が４段の段部１２ａを備える構成とし、上側直階段部構成体１１Ｂを段数が３段の段部１１Ｂａを備える構成としてあり、階上床部構成体１３と壁状枠体２０の前部壁状部２１ｄとの間に床幅を階段の二段分の踏み面幅と床面１３Ｂａを備える補助階上床部構成体１３Ｂを挟み入れて階段ユニットＡを構成してあり、さらに、回り段部構成体１２を段板の形状の異なる５態様の構成の回り段部構成体１２として用意してあり、これらを体験目的に対応して組み付け用い得るようにしてある。
【００７９】
また、図２１に示される階段ユニットＡは、下側直階段部構成体１１Ａを段数が３段の段部１１Ａａを備える基準直階段部構成体１１’としてあると共に、回り段部構成体１２を段数が５段の段部１２ａを備える構成とし、上側直階段部構成体１１Ｂを段数が２段の段部１１Ｂａを備える構成としてあり、階上床部構成体１３と壁状枠体２０の前部壁状部２１ｄとの間に床幅を階段の一段分の踏み面幅とする床面１３Ａａを備える補助階上床部構成体１３Ａと床幅を階段の二段分の踏み面幅とする床面１３Ｂａを備える補助階上床部構成体１３Ｂとを挟み入れて階段ユニットＡを構成してある。
【００８０】
ついで、図２２及び図２３に示される階段ユニットＡは、前記図１〜図２１に示される壁状枠体２０に対して階段の一段分の踏み面幅相当分小さくした壁状枠体２０としてあり、前記図１〜図２１に示される階段ユニットＡにおける回り段部構成体１２を３段の段数の段部１２ａを備える回り段部構成体１２と、４段の段数の段部１２ａを備える回り段部構成体１２として構成したものであって、下側直階段部構成体１１Ａは前記図１〜図２１に示される下側直階段部構成体１１Ａと同一の３段の段数の段部１１Ａａを備える基準直階段部構成体１１’として構成してあり、図２２では、３段の段数の段部１２ａを備える回り段部構成体１２に対して４段の段数の段部１１Ｂａを備える上側直階段部構成体１１Ｂを、また、図２３では、４段の段数の段部を備える回り段部構成体１２に対して３段の段数の段部１１Ｂａを備える上側直階段部構成体１１Ｂをそれぞれ組合せ用いるようにしたものである。そして、図２２では階上床部構成体１３が壁状枠体２０の前部壁状部２１ｄに密着するように、また、図２３では、階段の一段分の踏み面幅に相当する幅の床面１３Ａａを備える補助階上床部構成体１３Ａを該前部壁状部２１ｄと階上床部構成体１３との間に入れ込むようにして階段ユニットＡを構成してある。
【００８１】
さらに、図２４及び図２５は、上側直階段部構成体１１Ｂを定められた段数の段部１１Ｂａを備える基準直階段部構成体１１’とし、下側直階段部構成体１１Ａと回り段部構成体１２とで、当該階段ユニットＡにおける階下床面１０ａと階上床面１０ｂとの間に割り付けられる割付段数から当該上側直階段部構成体１１Ｂの備える段部１１Ｂａの段数を減じた段数を振り分けて備える構成の階段ユニットＡとしてある。
【００８２】
この図２４に示される階段ユニットＡは、上側直階段部構成体１１Ｂを段数が３段の段部１１Ｂａを備える基準直階段部構成体１１’としてあると共に、回り段部構成体１２を段数が４段の段部１２ａを備える構成とし、下側直階段部構成体１１Ａを段数が３段の段部１１Ａａを備える構成としてあり、階上床部構成体１３が壁状枠体２０の前部壁状部２１ｄに密着して組み付けられ、しかも、回り段部構成体１２を段板の形状の異なる複数態様の構成の回り段部構成体１２として用意してあって、これらを体験目的に対応して組み付け用い得るようにしてある。
【００８３】
また図２５に示される階段ユニットＡは、上側直階段部構成体１１Ｂを段数が３段の段部１１Ｂａを備える基準直階段部構成体１１’としてあると共に、回り段部構成体１２を段数が３段の段部１２ａを備える構成とし、下側直階段部構成体１１Ａを段数が４段の段部１１Ａａを備える構成としてあり、階上床部構成体１３が壁状枠体２０の前部壁状部２１ｄに密着して組み付けられ、しかも、回り段部構成体１２を段板の形状の異なる複数態様の構成の回り段部構成体１２として用意してあって、これらを体験目的に対応して組み付け用い得るようにしてある。
【図面の簡単な説明】
【００８４】
【図１】典型的な回り階段ユニットの構成体を分離した状態の斜視図
【図２】同組み付けの一工程を示す斜視図
【図３】同組み付け状態を示す斜視図
【図４】同下側直階段部構成体を示す斜視図
【図５】同回り段部構成体を示す斜視図
【図６】同上側直階段部構成体を示す斜視図
【図７】同階上床部構成体を示す斜視図
【図８】同第一枠体を示す斜視図
【図９】同第二枠体を示す斜視図
【図１０】同連結手段による連結状態を示す要部斜視図
【図１１】同移動手段及び固定手段の一部を破断して示す側面図
【図１２】典型的な回り階段ユニットの組み付け状態を示す平面図
【図１３】同回り階段ユニットの他の実施例の組み付け状態を示す平面図
【図１４】同回り階段ユニットの更に他の実施例の組み付け状態を示す平面図
【図１５】同回り階段ユニットの更に他の実施例の組み付け状態を示す平面図
【図１６】同回り階段ユニットの更に他の実施例の組み付け状態を示す平面図
【図１７】同回り階段ユニットの更に他の実施例の組み付け状態を示す平面図
【図１８】同回り階段ユニットの更に他の実施例の組み付け状態を示す平面図
【図１９】同回り階段ユニットの更に他の実施例の組み付け状態を示す平面図
【図２０】同回り階段ユニットの更に他の実施例の組み付け状態を示す平面図
【図２１】同回り階段ユニットの更に他の実施例の組み付け状態を示す平面図
【図２２】同回り階段ユニットの更に他の実施例の組み付け状態を示す平面図
【図２３】同回り階段ユニットの更に他の実施例の組み付け状態を示す平面図
【図２４】他の典型的な回り階段ユニットの組み付け状態を示す平面図
【図２５】同回り階段ユニットの他の実施例の組み付け状態を示す平面図
【符号の説明】
【００８５】
Ａ  回り階段ユニット
Ｂ  設置床面
１０ａ  階下床面
１０ｂ  階上床面
１０  通路構成体
１１  直階段部構成体
１１’  基準直階段部構成体
１１Ａ  下側直階段部構成体
１１Ｂ  上側直階段部構成体
１２  回り段部構成体
１３  階上床部構成体
２０  壁状枠体
２０Ａ  第一枠体
２０Ｂ  第二枠体
３０  連結手段
４０  移動手段
５０  固定手段
【図１】
0003124251.tif 000003
【図２】
0003124251.tif 000004
【図３】
0003124251.tif 000005
【図４】
0003124251.tif 000006
【図５】
0003124251.tif 000007
【図６】
0003124251.tif 000008
【図７】
0003124251.tif 000009
【図８】
0003124251.tif 000010
【図９】
0003124251.tif 000011
【図１０】
0003124251.tif 000012
【図１１】
0003124251.tif 000013
【図１２】
0003124251.tif 000014
【図１３】
0003124251.tif 000015
【図１４】
0003124251.tif 000016
【図１５】
0003124251.tif 000017
【図１６】
0003124251.tif 000018
【図１７】
0003124251.tif 000019
【図１８】
0003124251.tif 000020
【図１９】
0003124251.tif 000021
【図２０】
0003124251.tif 000022
【図２１】
0003124251.tif 000023
【図２２】
0003124251.tif 000024
【図２３】
0003124251.tif 000025
【図２４】
0003124251.tif 000026
【図２５】
0003124251.tif 000027